(57)【要約】【課題】この発明は脚上げ床部だけを起上させた状態や背上げ床部だけを起上させた状態で使用可能にした起床式ベッド装置を提供することにある。【解決手段】ベッドフレーム３１に設けられた床板体７１と、この床板体の背上げ床部７４を起伏するための背上げアーム５７と、先端に作動ローラ６３が設けられ上記床板体の脚上げ床部を起伏するための脚上げアーム６２と、上記背上げアームと脚上げアームとを起伏駆動して上記背上げ床部と脚上げ床部を連動させるとともに、各アームを起上方向に駆動したときに背上げ床部を脚上げ床部よりも遅らせて起上させる駆動機構５１と、上記作動ローラが転接するよう上記脚上げ床部の下面に設けられ上記駆動機構によって上記脚上げ床部が背上げ床部よりも先に起上させられたのち上記背上げ床部が所定の角度に起上したときに上記脚上げ床部をほぼ水平に倒伏させるカム体とを具備する。【選択図】　　図１
2004016558.tif 000002
【特許請求の範囲】
【請求項１】
利用者の上半身を起こすことができる起床式ベッド装置において、
ベッドフレームと、
このベッドフレームに固定された固定床部、この固定床部の一端に回動可能に連結された背上げ床部及び他端に回動可能に連結された脚上げ床部を有する床板体と、
この床板体の背上げ床部を起伏するための背上げアームと、
先端に作動ローラが設けられ上記床板体の脚上げ床部を起伏するための脚上げアームと、
上記背上げアームと脚上げアームとを起伏駆動して上記背上げ床部と脚上げ床部を連動させるとともに、各アームを起上方向に駆動したときに背上げ床部を脚上げ床部よりも遅らせて起上させる駆動機構と、
上記作動ローラが転接するよう上記脚上げ床部の下面に設けられ上記駆動機構によって上記脚上げ床部が背上げ床部よりも先に起上させられたのち上記背上げ床部が所定の角度に起上したときに上記脚上げ床部をほぼ水平に倒伏させるカム体と、
を具備したことを特徴とする起床式ベッド装置。
【請求項２】
上記駆動機構は、
上記背上げアームの基端部が回動可能に支持された第１の回転軸と、
上記脚上げアームの基端部が固着された第２の回転軸と、
上記第１の回転軸を回転駆動する駆動源と、
上記第１の回転軸の回転を上記第２の回転軸に伝達する伝達部材と、
上記第１の回転軸に設けられ上記駆動源によって第１の回転軸が回転駆動されたときに上記背上げアームを上記脚上げアームよりも遅らせて起上方向に連動させる連動部材と、
を具備したことを特徴とする請求項１記載の起床式ベッド装置。
【請求項３】
上記背上げアームの先端部には一対のローラが所定間隔で設けられ、上記背上げ床部の下面には上記ローラが係合するガイドレールが設けられ、上記ローラとガイドレールとの係合により、上記背上げアームは上記連動部材によって起上方向に駆動されるまではほぼ水平に保持されていることを特徴とする請求項２記載の起床式ベッド装置。
【請求項４】
上記背上げ床部と脚上げ床部とがほぼ水平に倒伏した状態において、上記背上げアームの先端部は上記背上げ床部の下面に対して離間し、上記脚上げアームの作動ローラは上記カム体に当接していることを特徴とする請求項１記載の起床式ベッド装置。
【発明の詳細な説明】
【０００１】
【発明の属する技術分野】
この発明は床板体を複数の床部に分割し、利用者の上半身を起こすことができるようにした起床式ベッド装置に関する。
【０００２】
【従来の技術】
一般に、起床式ベッド装置はベッドフレームを有し、このベッドフレームには床板体が設けられている。この床板体は、上記ベッドフレームに固定された固定床部、この固定床部の一端に回動可能に連結された背上げ床部、上記固定床部の他端に回動可能に連結された第１の脚上げ床部及び第２の脚上げ床部に分割されている。
【０００３】
上記ベッドフレームには、上記床板体の下面側に位置する駆動機構が設けられている。この駆動機構は、上記背上げ床部を起伏させる背上げアームと、上記第１、第２の脚床部を起伏させる脚上げアームとを駆動するようになっている。
【０００４】
通常、上記背上げアームと脚上げアームとは上記駆動機構によって連動して駆動されるようになっている。つまり、背上げ時に、背上げ床部が起上方向に駆動されると、それに連動して一対の脚上げアームが山形状に屈曲しながら上昇する。したがって、利用者は上半身が起こされると同時に脚部が持ち上げられるから、上半身が起こされるときに臀部が前方にずれ動くのが防止される。
【０００５】
【発明が解決しようとする課題】
ところで、背上げ床部と第１、第２の脚上げ床部とを連動させる構成によると、利用者の上半身が起こされたときに、脚部が持ち上げられた状態になる。そのため、利用者は腹部が圧迫され、上半身を起こした姿勢を楽に維持することができないということがある。
【０００６】
一方、利用者は上半身を起こさずに、脚部だけを持ち上げた姿勢を取りたいことがあり、また上半身を所定の角度まで起こしたならば、腹部が圧迫されるのを防止するために脚部を下ろした姿勢を取りたいことがある。
【０００７】
しかしながら、背上げ床部と第１、第２の脚上げ床部との起伏を連動させる構成によると、これら床部のどちらか一方だけを起上させた状態で使用することができないため、利用者にとって不便であるということがあった。
【０００８】
この発明は、背上げ床部と脚上げ床部のどちらか一方だけを起上させた状態で利用することができ、さらに背上げ床部が所定の角度まで起上したならば、脚上げ床部を倒伏させることで、利用者が腹部を圧迫されることなく、背上げ状態の姿勢を楽に維持することができるようにした起床式ベッド装置を提供することにある。
【０００９】
【課題を解決するための手段】
請求項１の発明によれば、利用者の上半身を起こすことができる起床式ベッド装置において、
ベッドフレームと、
このベッドフレームに固定された固定床部、この固定床部の一端に回動可能に連結された背上げ床部及び他端に回動可能に連結された脚上げ床部を有する床板体と、
この床板体の背上げ床部を起伏するための背上げアームと、
先端に作動ローラが設けられ上記床板体の脚上げ床部を起伏するための脚上げアームと、
上記背上げアームと脚上げアームとを起伏駆動して上記背上げ床部と脚上げ床部を連動させるとともに、各アームを起上方向に駆動したときに背上げ床部を脚上げ床部よりも遅らせて起上させる駆動機構と、
上記作動ローラが転接するよう上記脚上げ床部の下面に設けられ上記駆動機構によって上記脚上げ床部が背上げ床部よりも先に起上させられたのち上記背上げ床部が所定の角度に起上したときに上記脚上げ床部をほぼ水平に倒伏させるカム体と、
を具備したことを特徴とする起床式ベッド装置にある。
【００１０】
請求項２の発明は、上記駆動機構は、
上記背上げアームの基端部が回動可能に支持された第１の回転軸と、
上記脚上げアームの基端部が固着された第２の回転軸と、
上記第１の回転軸を回転駆動する駆動源と、
上記第１の回転軸の回転を上記第２の回転軸に伝達する伝達部材と、
上記第１の回転軸に設けられ上記駆動源によって第１の回転軸が回転駆動されたときに上記背上げアームを上記脚上げアームよりも遅らせて起上方向に連動させる連動部材と、
を具備したことを特徴とする請求項１記載の起床式ベッド装置にある。
【００１１】
請求項３の発明は、上記背上げアームの先端部には一対のローラが所定間隔で設けられ、上記背上げ床部の下面には上記ローラが係合するガイドレールが設けられ、上記ローラとガイドレールとの係合により、上記背上げアームは上記連動部材によって起上方向に駆動されるまではほぼ水平に保持されていることを特徴とする請求項２記載の起床式ベッド装置にある。
【００１２】
請求項４の発明は、上記背上げ床部と脚上げ床部とがほぼ水平に倒伏した状態において、上記背上げアームの先端部は上記背上げ床部の下面に対して離間し、上記脚上げアームの作動ローラは上記カム体に当接していることを特徴とする請求項１記載の起床式ベッド装置にある。
【００１３】
この発明によれば、脚上げ床部が背上げ床部よりも先に起上するため、脚上げ床部だけを起上させた状態で使用することが可能であり、背上げ床部を所定の角度に起上させたときには脚上げ床部をほぼ水平に倒伏させることができる。
【００１４】
【発明の実施の形態】
以下、図面を参照しながらこの発明の一実施の形態を説明する。
【００１５】
図１乃至図５はこの発明の一実施の形態を示す。図１は起床式ベッド装置の分解斜視図であって、このベッド装置はベースフレーム１を備えている。このベースフレーム１はそれぞれ一対の長尺杆２と短尺杆３とを矩形枠状に配置し、これらの隣り合う端部を第１の連結部材４で連結して形成されている。上記長尺杆２と短尺杆３とは角筒状の部材が用いられている。
【００１６】
上記第１の連結部材４は、下端にストッパ付きのキャスタ５が設けられ、上端には取付け部７が設けられている。この取付け部７には後述する上下駆動機構１１の回動駆動される各一対の第１、第２のア−ム１９ａ、１９ｂの端部が枢支される。
【００１７】
上記ベ−スフレ−ム１には上記上下駆動機構１１が設けられる。この上下駆動機構１１は駆動源１２を有する。この駆動源１２には駆動軸１３が取付けられ、この駆動軸１３は上記駆動源１２によって軸方向に進退駆動されるようになっている。
【００１８】
上記駆動軸１３の先端は連動杆１４の中途部に第１のブラケット１５を介して枢着されている。上記連動杆１４の一端と他端はそれぞれ回転軸１６ａ、１６ｂの中途部に設けられた第１のア−ム１７に枢着されている。一方の第１のア−ム１７の中途部には回転軸１６ａの周方向に対して上記第１のア−ム１７と所定の角度で第２のブラケット１８が設けられ、この第２のブラケット１８に上記駆動源１２が回動可能に取付けられている。なお、他方の第１のア−ム１７に対して上記連動杆１４の端部は連動部材２０を介して枢着されている。
【００１９】
一方の回転軸１６ａの両端部には上記第１のア−ム１９ａの一端が固着され、他方の回転軸１６ｂの両端部には上記第２のア−ム１９ｂの中途部が固着されている。第１、２のア−ム１９ａ、１９ｂの他端は、上記第１の連結部材４に形成された取付け部７に図示しないピンによって回動可能に取付けられている。
【００２０】
上記構成の上下駆動機構１１によれば、駆動源１２が作動して駆動軸１３が突出方向に駆動されると、連動杆１４が図１に矢印で示す方向に移動するから、それによって一対の回転軸１６ａ、１６ｂが同図に矢印で示す時計方向に回転する。回転軸１６ａ、１６ｂが回転すれば、その回転に上記第２のア−ム１９ａ、１９ｂが連動するようになっている。
【００２１】
上記ベ−スフレ−ム１の上方には上記上下駆動機構１１によって上下駆動されるベッドフレームとしての上下フレ−ム３１が配置されている。この上下フレ−ム３１は上記ベ−スフレ−ム１と同様、２本の長尺杆３２と短尺杆３３とを矩形枠状に配置し、それらの隣り合う端部を第２の連結部材３４によって連結して形成されている。
【００２２】
上記第２の連結部材３４は、上下フレ−ム３１の幅方向両側に突出していて、その突出端部には図４（ａ）に示すヘッドボ−ド柵３７とフットボ−ド柵３８との下端部が挿入保持される保持孔３９が形成されている。つまり、上下フレ−ム３１の幅方向両側に設けられた一対の第２の連結部材３４の保持孔３９に上記各ボ−ド柵３７、３８が保持される。
【００２３】
図１に示すように、上記上下フレ−ム３１の長尺杆３２の長手方向両端部の内面にはそれぞれ第３のブラケット４１が垂設されている。上下フレーム３１の長手方向一端部に設けられた一対の第３のブラケット４１には一方の回転軸１６ａの端部が図示しないピンによって回転可能に支持され、長手方向他端部の一対の第３のブラケット４１には他方の回転軸１６ｂの端部が図示しないピンによって回転可能に支持されている。
【００２４】
上記上下フレ−ム３１には背上げ及び脚上げを行なうための駆動機構５１が設けられる。この駆動機構５１は図２に示すように、帯板状の第１の連結部材５２と第２の連結部材５３とによって所定間隔で平行に連結された一対の支持部材５４を有する。支持部材５４は帯板状をなしていて、長手方向一端部には第１の回転軸５５が回転可能に支持され、他端部には第２の回転軸５６が回転可能に支持されている。
【００２５】
上記第１の回転軸５５の両端部には一対の背上げアーム５７の基端部が回動可能に支持されている。一対の背上げアーム５７の先端部の対向する一側面にはそれぞれ一対のガイドローラ５８が所定間隔で回転可能に設けられている。
【００２６】
上記第１の回転軸５５には、一対の背上げアーム５７よりも軸方向内方にそれぞれ連動部材５９の一端部が固着されている。この連動部材５９の他端部の一側面には上記背上げアーム５７の基端部下面に係合する係合ピン６１が突設されている。
【００２７】
上記第２の回転軸５６の両端部には上記背上げアーム５７に比べて短い脚上げアーム６２の基端部が固着されている。脚上げアーム６２の先端部には作動ローラ６３が回転可能に設けられている。
【００２８】
上記第２の連結部材５３の長手方向中途部の下面には駆動源６４が枢着されている。この駆動源６４は進退駆動される駆動軸６５を有し、この駆動軸６５の先端は上記第１の回転軸５５の軸方向中途部に一端が固着されたブラケット６６の他端に枢着されている。
【００２９】
上記第１の回転軸５５の軸方向一端部には図示しないブラケットを介して杆状の伝達部材６７の一端が枢着されている。この伝達部材６７の他端は上記第２の回転軸５６の一端部に一端が固着されたブラケット６８の他端に枢着されている。
【００３０】
上記駆動源６４が作動して駆動軸６５が突出方向に駆動されると、ブラケット６６を介して第１の回転軸５５が図２に矢印で示す反時計方向に回転する。第１の回転軸５５の回転に連動部材５９が連動するから、この連動部材５９に設けられた係合ピン６１を介して背上げアーム５７が起上方向に回動する。
【００３１】
上記第１の回転軸５５が反時計方向に回転すると、この第１の回転軸５５に一端が枢着された伝達部材６７が図２に矢印で示す方向に移動する。それによって、伝達部材６７の他端が枢着された第２の回転軸５６が矢印で示す時計方向に回転するから、この第２の回転軸５６に設けられた脚上げアーム６２が起上方向に回動する。
【００３２】
そして、上記駆動機構５１は、一対の支持部材５４の外面の長手方向両端部に設けられた係合部材６９を上下フレーム３１の両側内面に設けられた受け部材７０に着脱可能に係合させて保持されている。
【００３３】
上記上下フレーム３１の上面には床板体７１が設けられている。この床板体７１は５つの床部に分割されている。すなわち、床板体７１は上記上下フレーム３１に固定される固定床部７２を有する。この固定床部７２の一端には腰上げ床部７３と背上げ床部７４とが順次回動可能に連結されている。上記固定床部７２の他端には第１の脚上げ床部７５と第２の脚上げ床部７６とが順次回動可能に連結されている。
【００３４】
上記上下フレーム３１の上記第２の脚上げ床部７６と対応する部分には棒材をほぼコ字状に折曲した保持部材７７の両端部が回動可能に支持されている。この保持部材７７の中途部は上記第２の脚上げ床部７６の下面に回動可能に連結されている。それによって、上記第１の脚上げ床部７５が後述するごとく起上させられ、この第１の脚上げ床部７５の起上に上記第２の脚上げ床部７６が連動すると、第２の脚上げ床部７６は上記保持部材７７によって上昇した状態で保持されるようになっている。
【００３５】
上記背上げ床部７４の下面の幅方向両端部には断面コ字状のガイドレール７８（図２に鎖線で示す）が長手方向に沿って設けられている。これらガイドレール７８には上記背上げアーム５７の先端部に設けられた一対のガイドローラ５８が転動可能に係合している。したがって、上記背上げアーム５７が起上方向に駆動されると、この背上げアーム５７によって上記背上げ床部７４が起上させられる。
【００３６】
上記背上げ床部７４がほぼ水平に倒伏した状態において、背上げアーム５７は上記ガイドレール７８に係合したガイドローラ５８を介して背上げ床部７４にほぼ水平に保持される。この状態において、連動部材５９は背上げアーム５７よりもわずかに下方に回動した位置にあり、上記連動部材５９に設けられた係合ピン６１が背上げアーム５７の下面から離れている。このときの係合ピン６１の位置を図３（ａ）にＸ１で示す。
【００３７】
上記脚上げアーム６２の先端に設けられた作動ローラ６３は、図３（ｂ）に示すように上記第１の脚上げ床部７５の下面に設けられたカム体８１に当接している。このカム体８１は山形状をなしていて、上記第２の脚上げ床部７５がほぼ水平に倒伏しているとき、上記作動ローラ６３は上記カム体８１の下死点に位置している。このときの作動ローラ６３の位置を図３（ｂ）にＹ１で示す。
【００３８】
つぎに、上記構成の起床式ベッド装置の動作を図４と図５を参照しながら説明する。
【００３９】
図５（ａ）は床板体７１の背上げ床部７４及び第１、第２の脚上げ床部７５，７６がほぼ水平に倒伏した状態を示す。この状態において、背上げアーム５７を第１の回転軸５５の回転に連動させる係合ピン６１は図３（ａ）のＸ１の位置にあり、第１、第２の脚床部７５，７５を起上させる作動ローラ６３は図３（ｂ）のＹ１で示すカム体８１の下死点に位置している。
【００４０】
駆動機構５１の駆動源６４を作動させて駆動軸６５を突出方向に駆動すると、第１の回転軸５５が回転し、この回転に第２の回転軸５６が伝達部材６７を介して連動する。第１の回転軸５５が回転すると、この回転に連動部材５９が連動するが、この連動部材５９に設けられた係合ピン６１は背上げアーム５７の下面から離間している。そのため、上記係合ピン６１が図３（ａ）のＸ２の位置に上昇するまで上記背上げアーム５７は起上方向に駆動されない。
【００４１】
上記係合ピン６１がＸ１からＸ２の位置へ変位するまでの間に、上記第１の回転軸５５の回転に第２の回転軸５６が連動することで、脚上げアーム６２の作動ローラ６３がカム体８１の図３（ｂ）にＹ１で示す位置からＹ２の位置へ移動する。このＹ２の位置はカム体８１の上死点よりも手前である。
【００４２】
そのため、作動ローラ６３を介してカム体８１が押し上げられるから、図４（ａ）及び図５（ｂ）に示すようにカム体８１が設けられた第１の脚上げ床部７５が起上し、これに第２の脚上げ床部７６が連動するため、これら脚上げ床部７５，７６がほぼへの字状に起上する。
【００４３】
この状態で、駆動機構５１の駆動源６４を停止すれば、背上げ床部７４はほぼ水平に倒伏し、第１、第２の脚上げ床部７５がへの字状に起上した状態でベッド装置を利用することができる。
【００４４】
第１の回転軸５５がさらに回転して係合ピン６１がＸ２からＸ３の位置へ上昇すると、この係合ピン６１によって背上げアーム５７が起上方向に回動させられる。背上げアーム５７が起上すると、この背上げアーム５７の先端部に設けられたガイドローラ５８を介して背上げ床部７４が図４（ｂ）及び図５（ｃ）に示すように起上させられる。
【００４５】
それと同時に、作動ローラ６３がカム体８１の図３（ｂ）にＹ３で示す上死点に到達するから、第１の脚上げ床部７５の上昇が最大となり、それに第２の脚上げ床部７６が連動して上昇し、保持部材７７によって上昇した状態で保持される。
【００４６】
したがって、背上げ床部７４によって利用者の上半身が起こされるときに、第１、第２の脚上げ床部７５，７６によって脚部が持ち上げられるから、背上げ時に利用者の臀部が前方にずれ動くのが防止される。
【００４７】
この状態で、駆動機構５１の駆動源６４を停止すれば、背上げ床部７４が最大起上角度よりも小さい角度で起上し、第１、第２の脚上げ床部７５が最大に起上した状態でベッド装置を利用することができる。
【００４８】
上記第２の回転軸５５をさらに回転して係合ピン６１が図３（ａ）のＸ３の位置からＸ４の位置に上昇すると、背上げ床部７４は図５（ｄ）に示す状態を経て図５（ｅ）及び図４（ｃ）に示すように最大角度で起上する。
【００４９】
一方、作動ローラ６３はカム体８１のＹ３で示す上死点からＹ４で示す下死点へ移行する。その結果、第１、第２の脚上げ床部７５，７６は図５（ｃ）に示す最大上昇位置から図５（ｄ）に示すように下降した後、さらに図５（ｅ）及び図４（ｃ）に示すようにほぼ水平に倒伏する。
【００５０】
すなわち、背上げ床部７４を倒伏状態から最大角度まで起上させる間に、第１、第２の脚上げ床部７５，７６は、水平状態から最大上昇位置まで上昇した後、再び水平状態に戻る。
【００５１】
したがって、利用者の上半身が図５（ｃ）の状態に起こされた後、図５（ｄ）の状態にさらに起こされるときには第１、第２の脚上げ床部７５，７６は最大上昇位置から下降するから、利用者の腹部の圧迫状態が徐々に除去される。
【００５２】
そして、利用者の上半身が最大に起こされたときには、第１、第２の脚床部７５，７６はほぼ水平に倒伏し、これら脚床部７５，７６によって上昇させられた利用者の脚部が下ろされ、利用者は腹部がほとんど圧迫されなくなるから、上半身を起こした姿勢を楽に維持することができる。
【００５３】
上記床板体７１は５つの床部に分割されているから、上記背上げ床部７４を起上させるとき、この背上げ床部７４に腰上げ床部７３が連動する。そのため、背上げ床部７４が最大角度で起上した状態で、この背上げ床部７４の上端に利用者の荷重が加わると、背上げ床部７４が腰上げ床部７３を回動させながら後方へ回動する虞がある。
【００５４】
しかしながら、上記背上げアーム５７に一対のガイドローラ５８を設け、このガイドローラ５８を背上げ床部７４の下面に設けたガイドレール７８に係合させている。そのため、背上げ床部７４は背上げアーム５７に設けられた一対のガイドローラ５８によって上下方向に所定の間隔で離間した２点で支持されているから、背上げ床部７４の上端部に荷重が加わっても、この背上げ床部７４が後方へ回動するのが防止される。
【００５５】
すなわち、床板体７１を５つに分割し、起上した背上げ床部７４が後方へ倒れるのを防止した構造の起床式ベッド装置において、第１の回転軸５５に係合ピン６１を有する連動部材５９を設けたから、この連動部材５９によって背上げアーム５７を、脚上げアーム６２の起上に遅らせて起上させることができる。
【００５６】
図６と図７はこの発明の他の実施の形態を示す。この実施の形態は床板体７１Ａが固定床部７２、背上げ床部７４、第１の脚上げ床部７５及び第２の脚上げ床部７６の４つに分割されている。
【００５７】
駆動機構５１は第１の回転軸５５の回転を、伝達部材６７を介して第２の回転軸５６に連動させるという点では同じである。さらに、脚上げアーム６２の先端に設けられた作動ローラ６３を、第１の脚上げ床部７５の下面に設けたカム体８１Ａに当接させることで、背上げ床部７４の起上に連動する第１、第２の脚床部７５，７６の起上を、上記カム体８１Ａの形状に応じて変化させるという点も同じである。
【００５８】
しかしながら、背上げ床部７４がほぼ水平に倒伏した状態において、背上げアーム５７Ａの先端に設けられたローラ５８Ａが、背上げ床部７４の下面に設けられた傾斜部材８４の斜面に対して所定間隔で離間しているという点で相違している。つまり、背上げアーム５７Ａを円弧状に湾曲させることで、背上げ床部７４が倒伏した状態において、背上げアーム５７Ａの先端部に設けられたローラ５８Ａを傾斜部材８４の斜面から離間させることができる。
【００５９】
このような構成によれば、図６に示すように、床板体７１Ａが水平に倒伏した状態で、駆動機構５１を作動させると、第１の回転軸５５の回転に第２の回転軸５６が伝達部材６７を介して連動する。
【００６０】
しかしながら、上記背上げアーム５７Ａに設けられたローラ５８Ａが上記傾斜部材８４の斜面に当たるまでの間は、第１、第２の脚上げ床部７５，７６は起上するが、背上げ床部７４は起上しない。上記ローラ５８Ａが上記傾斜部材８４の斜面に当たれば、図７に示すように背上げ床部７４は起上する。
【００６１】
したがって、このような構成であっても上記一実施の形態と同様、第１、第２の脚上げ床部７５，７６の起上に背上げ床部７４を遅延して連動させることができるばかりか、背上げ床部７４が最大角度で起上したときに、第１、第２の脚上げ床部７５，７６をカム体８１Ａの形状によってほぼ水平に倒伏させることができる。
【００６２】
なお、この実施の形態において、背上げアーム５７Ａを湾曲させる代わりに、第１の回転軸５５に対する背上げアーム５７Ａの取付け角度を調整することで、背上げ床部７４の起上を、第１、第２の脚上げ床部７５，７６に遅延させるようにしてもよい。
【００６３】
【発明の効果】
以上のようにこの発明によれば、駆動機構によって背上げ床部と脚上げ床部とを起上させるとき、脚上げ床部が背上げ床部よりも先に起上するようにした。そのため、床板体の脚上げ床部だけを起上させた状態で使用することが可能となる。
【００６４】
また、背上げ床部を所定の角度に起上させたとき、脚上げ床部をほぼ水平に倒伏させることができるようにした。そのため、利用者は上半身を起こしたときに脚部を下ろすことができるから、腹部が圧迫されることのない状態で上半身を起こした姿勢を維持することができる。
【図面の簡単な説明】
【図１】この発明の一実施の形態に係る起床式ベッド装置の分解斜視図。
【図２】背上げと脚上げを行なう駆動機構の斜視図。
【図３】（ａ）は連動部材に設けられた係合ピンと背上げアームとの関係を説明するための図、（ｂ）はカム体と作動ローラとの位置関係を説明するための図。
【図４】背上げ床部と第１、第２の脚上げ床部の動作を順次示した説明図。
【図５】背上げ床部と第１、第２の脚上げ床部の動作を順次示した模式図。
【図６】この発明の他の実施の形態を示す床板体が水平に倒伏した状態の側面図。
【図７】図６に示す床板体の背上げ床部と脚上げ床部とを起上させた状態の側面図。
【符号の説明】
３１…上下フレーム（ベッドフレーム）
５１…駆動機構
５５…第１の回転軸
５６…第２の回転軸
５７…背上げアーム
５９…連動部材
６２…脚上げアーム
６３…作動ローラ
６４…駆動源
６７…伝達部材
７１…床板体
７２…固定床部
７４…背上げ床部
７５…第１の脚上げ床部
７６…第２の脚上げ床部
８１…カム体
【図１】
2004016558.tif 000003
【図２】
2004016558.tif 000004
【図３】
2004016558.tif 000005
【図４】
2004016558.tif 000006
【図５】
2004016558.tif 000007
【図６】
2004016558.tif 000008
【図７】
2004016558.tif 000009